(57)【要約】【課題】冷媒の吸入脈動を低減させることができる吸入脈動低減装置、およびそれを含む斜板式圧縮機を提供する。【解決手段】本発明は、凹状の容器形態からなり、高さ方向に上側面が開放された吸入口が形成されており、側壁の一定領域が中空となって形成された吐出口が形成されたケースと、ケースの内部において吸入口と吐出口との間に備えられ、高さ方向に移動自在に形成されたコア部と、ケースの底壁の付近に配置された水平部の一端からケースの側壁に沿って上側に垂直部が延びて形成されており、水平部と垂直部とが接する部分が、ケースに水平方向軸を中心に回転自在に結合されたレバーと、コア部とレバーの水平部との間に介在された弾性手段と、を含んでなり、斜板式圧縮機に設けられて冷媒の吸入脈動を低減させることを特徴とする。【選択図】図５
2019526749.tif 000002
【特許請求の範囲】
【請求項１】
高さ方向に上側面が開放された吸入口（１１０）が形成されており、側壁（１０２）の一定領域が中空となって形成された吐出口（１２０）が形成されたケース（１００）と、
前記ケース（１００）の内部において前記吸入口（１１０）と吐出口（１２０）との間に備えられて高さ方向に移動自在に形成され、前記ケース（１００）の底面から離隔して配置されたコア部（２００）と、
前記ケース（１００）の底壁（１０１）の付近に配置された水平部（３１０）の一端から前記ケース（１００）の側壁（１０２）に沿って上側に垂直部（３２０）が延びて形成され、前記垂直部（３２０）の上側が前記コア部（２００）の外周面に近接して配置されており、前記水平部（３１０）と垂直部（３２０）とが接する部分が、前記ケース（１００）に水平方向軸を中心に回転自在に結合されたレバー（３００）と、
前記コア部（２００）と前記レバー（３００）の水平部（３１０）との間に介在されており、上端が前記コア部（２００）に支持され、下端が前記水平部（３１０）に支持された弾性手段（４００）と、を含んでなることを特徴とする吸入脈動低減装置。
【請求項２】
前記ケース（１００）およびレバー（３００）は、射出により一体のプラスチック材質で形成されることを特徴とする請求項１に記載の吸入脈動低減装置。
【請求項３】
前記ケース（１００）の内側と外側を貫通するように前記底壁（１０１）および側壁（１０２）に形成された開口（１２１）に前記レバー（３００）が配置されることを特徴とする請求項１に記載の吸入脈動低減装置。
【請求項４】
前記開口（１２１）を成す周面に、前記レバー（３００）に近接するように前記レバー（３００）に向かって突起（１２２）が突出形成されることを特徴とする請求項３に記載の吸入脈動低減装置。
【請求項５】
前記レバー（３００）の水平部（３１０）の上面が前記ケース（１００）の底壁（１０１）の上面よりも上側に位置するように形成されており、
前記弾性手段（４００）の下端が前記水平部（３１０）に支持され、水平方向に前記弾性手段（４００）の下端両側は、前記底壁（１０１）の上側から離隔して配置されることを特徴とする請求項１に記載の吸入脈動低減装置。
【請求項６】
前記ケース（１００）の内周面の一定領域には半径方向内側にコアフック部（１４０）が突出形成されており、前記コア部（２００）が前記ケース（１００）の内部に挿入された状態で、前記コアフック部（１４０）に前記コア部（２００）が係止されて上側に抜けないように形成されることを特徴とする請求項１に記載の吸入脈動低減装置。
【請求項７】
前記コアフック部（１４０）に対応する位置の前記コア部（２００）の外周面には、コア部（２００）の上端から、下端から離隔された高さまで、高さ方向に沿ってフック移動溝（２１０）が凹んで形成されており、
前記コアフック部（１４０）が前記フック移動溝（２１０）に挿入されることを特徴とする請求項６に記載の吸入脈動低減装置。
【請求項８】
前記ケース（１００）には、コアフック部（１４０）が形成された円周方向両端に、高さ方向に切欠されたスリット（１４１）が形成されることを特徴とする請求項１に記載の吸入脈動低減装置。
【請求項９】
前記コア部（２００）には、前記スリット（１４１）が形成された位置に対応する位置の前記コア部（２００）の上面から上側に複数の遮断壁（２２０）が延びて形成されることを特徴とする請求項８に記載の吸入脈動低減装置。
【請求項１０】
前記コア部（２００）の外周面の一定領域には、半径方向外側にストッパ（２３０）が突出形成されており、前記コア部（２００）が前記ケース（１００）の内部に挿入された状態で、前記ケース（１００）の側壁（１０２）を貫通するように形成された開口の上端に前記ストッパ（２３０）が係止されて上側に抜けないように形成されることを特徴とする請求項１に記載の吸入脈動低減装置。
【請求項１１】
前記ケース（１００）には、外周面の上端から半径方向外側に第１係止部（１３０）が突出形成されており、前記第１係止部（１３０）から下側に離隔した位置に、前記ケース（１００）の外周面から半径方向外側に第２係止部（１５０）が突出形成されることを特徴とする請求項１に記載の吸入脈動低減装置。
【請求項１２】
前記ケース（１００）には、上端から高さ方向上側に延びて形成された延長部（１６０）の上端から半径方向外側に係止突起（１６１）が突出形成されることを特徴とする請求項１に記載の吸入脈動低減装置。
【請求項１３】
リング部（５１０）の下側に複数の延長部（５２０）が円周方向に互いに離隔して延びて形成され、前記複数の延長部（５２０）の下端から半径方向外側に結合突起（５２１）が突出形成されており、前記リング部（５１０）の上側に前記複数の延長部（５３０）が円周方向に互いに離隔して延びて形成され、前記複数の延長部（５３０）の上端から半径方向外側に係止突起（５３１）が突出形成されている固定部材（５００）をさらに含んでなり、
前記ケース（１００）には結合溝（１７０）が形成されていて、前記固定部材（５００）の係止突起（５３１）が前記ケース（１００）の結合溝（１７０）に挿入されて結合されることを特徴とする請求項１に記載の吸入脈動低減装置。
【請求項１４】
前記ケース（１００）には、前記底壁（１０１）または側壁（１０２）から内側にリミッタ（１８０）が突出形成され、前記コア部（２００）が下方へ移動し得る範囲が制限されることを特徴とする請求項１に記載の吸入脈動低減装置。
【請求項１５】
冷媒が流入される吸入流路（１１１０）が形成された後方ハウジング（１１００）と、前記後方ハウジング（１１００）の吸入流路上に挿入されて設けられた請求項１乃至１４の何れか一項に記載の吸入脈動低減装置（１０００）と、を含んでなることを特徴とする斜板式圧縮機。
【請求項１６】
前記後方ハウジング（１１００）の吸入流路（１１１０）には内側に係止突起（１１２０）が突出形成されており、
前記ケース（１００）には、外周面の上端から半径方向外側に第１係止部（１３０）が突出形成されるとともに、前記第１係止部（１３０）から下側に離隔した位置に、前記ケース（１００）の外周面から半径方向外側に第２係止部（１５０）が突出形成されていて、
前記後方ハウジング（１１００）の係止突起（１１２０）が、前記ケース（１００）の第１係止部（１３０）と第２係止部（１５０）との間に係止されて挟持されることを特徴とする請求項１５に記載の斜板式圧縮機。
【請求項１７】
前記後方ハウジング（１１００）の吸入流路（１１１０）には係止溝（１１３０）が凹んで形成されており、前記ケース（１００）には、上端から高さ方向上側に延びて形成された延長部（１６０）の上端から半径方向外側に係止突起（１６１）が突出形成されていて、
前記後方ハウジング（１１００）の係止溝（１１３０）に前記ケース（１００）の係止突起（１６１）が挿入されて結合されることを特徴とする請求項１５に記載の斜板式圧縮機。
【請求項１８】
前記後方ハウジング（１１００）の吸入流路（１１１０）には係止溝（１１３０）が凹んで形成されており、
前記吸入脈動低減装置（１０００）は、
リング部（５１０）の下側に複数の延長部（５２０）が円周方向に互いに離隔して延びて形成され、前記複数の延長部（５２０）の下端から半径方向外側に結合突起（５２１）が突出形成されるとともに、前記リング部（５１０）の上側に前記複数の延長部（５３０）が円周方向に互いに離隔して延びて形成され、前記複数の延長部（５３０）の上端から半径方向外側に係止突起（５３１）が突出形成された固定部材（５００）をさらに含んでなり、
前記ケース（１００）には結合溝（１７０）が形成されていて、前記固定部材（５００）の結合突起（５２１）が前記ケース（１００）の結合溝（１７０）に挿入されて結合され、
前記後方ハウジング（１１００）の係止溝（１１３０）に前記ケース（１００）の係止突起（５３１）が挿入されて結合されることを特徴とする請求項１５に記載の斜板式圧縮機。
【発明の詳細な説明】
【技術分野】
【０００１】
本発明は、吸入脈動低減装置およびそれを含む斜板式圧縮機に係り、より詳しくは、斜板式圧縮機の後方ハウジングに形成された吸入流路上に設けられ、冷媒の吸入脈動を低減させる吸入脈動低減装置およびそれを含む斜板式圧縮機に関する。
【背景技術】
【０００２】
通常、車両用冷却システムには、冷媒を圧縮させる役割を果たす圧縮機が設けられており、圧縮機には、冷媒の圧縮方式として、往復運動しながら圧縮を行う往復式と、回転運動しながら圧縮を行う回転式がある。
そして、様々な形態の圧縮機があるが、圧縮機としては、エンジンの回転力から伝達される動力で駆動されるものであって、電磁クラッチなしに車両のエンジンの駆動とともに常に駆動しながら、斜板の傾斜角を変化させることで吐出容量を変化させる可変容量型斜板式圧縮機が広く用いられている。かかる可変容量型斜板式圧縮機には、一般に、冷媒の吐出量を調節するために、斜板の傾斜角の調節のための圧力調節弁が用いられる。
ところで、従来の可変容量型斜板式圧縮機は、冷媒の吸入量が少なくなると吸入ポートに振動が発生し、脈動や轟音が発生するという問題があった。
【０００３】
このような問題を解決するために、冷媒吸入量が少ない時に吸入ポートの流動面積を徐々に変化させることで急激な吸入量の変化を防止する吸入脈動低減装置に係る技術が開示され、図１に示す吸入逆止弁１０が提案されている（特許文献１参照）。
かかる吸入逆止弁１０は、ケース２０、開閉コア３０、および弾性ばね４０からなる。
ケース２０は、その上端に開放された金属製の吸入口２１を備えており、側壁面の一側に、吸入口２１と直角を成しながら吐出口２２が形成される。
開閉コア３０は、ケース２０の内部に軸方向に移動自在に設けられる円筒状のプランジャであって、吸入口２１にかかる冷媒の圧力に応じてケース２０の内部で上下に移動しながら、吸入口２１から吐出口２２への冷媒の流動を断続する役割を果たす。
弾性ばね４０は、吸入口２１を介してケース２０の内部に流入される冷媒の圧力に対して開閉コア３０を弾力的に支持するように設けられ、吸入口２１に冷媒の圧力がかからなくなる時に、開閉コア３０を吸入口２１の方に密着させることで吸入口２１を閉塞する。また、開閉コア３０の外周面には軸方向溝３１が形成され、開閉コア３０が吸入口２１に密着された状態でも軸方向溝３１を介して微量の冷媒が流動可能となり、吸入口２１にかかる冷媒の圧力が急激に変化する際にも、吸入逆止弁の急激な開度変化が防止される。
【０００４】
しかしながら、上記のような従来の吸入逆止弁は、開閉コア３０が上下にスムーズに移動できるように、ケース２０の内周面と開閉コア３０の外周面との間が僅かに離隔して形成されるが、ケース２０と開閉コア３０との間を通過する冷媒によって開閉コア３０が振れながらケース２０の側壁にぶつかり、振動および騒音が発生するという問題がある。また、ハウジングの吸入流路に吸入逆止弁を圧入固定する金属製の吸入口２１を設けることにより、製造コストが高くなるという問題がある。
【先行技術文献】
【特許文献】
【０００５】
【特許文献１】韓国特許登録第１０‐１６０７７１１号
【発明の概要】
【発明が解決しようとする課題】
【０００６】
本発明は、上述のような問題を解決するためになされたものであって、その目的とするところは、斜板式圧縮機の後方ハウジングに形成された吸入流路上に設けられ、冷媒の吸入脈動を低減させることができ、振動および騒音の発生を防止することができる吸入脈動低減装置およびそれを含む斜板式圧縮機を提供することにある。
また、他の目的とするところは、弾性ばねを除いた全ての構成をプラスチックで製造することにより、製造コストを下げ、特に、金属で製造していた既存の吸入口をプラスチックで代替し、ケースと一体型で製造する吸入脈動低減装置およびそれを含む斜板式圧縮機を提供することにある。
【課題を解決するための手段】
【０００７】
上記の目的を達成するためになされた本発明の吸入脈動低減装置は、高さ方向に上側面が開放された吸入口１１０が形成されており、側壁１０２の一定領域が中空となって形成された吐出口１２０が形成されたケース１００と、ケース１００の内部において吸入口１１０と吐出口１２０との間に備えられて高さ方向に移動自在に形成され、ケース１００の底面から離隔して配置されたコア部２００と、ケース１００の底壁１０１の付近に配置された水平部３１０の一端からケース１００の側壁１０２に沿って上側に垂直部３２０が延びて形成され、垂直部３２０の上側がコア部２００の外周面に近接して配置されており、水平部３１０と垂直部３２０とが接する部分が、ケース１００に水平方向軸を中心に回転自在に結合されたレバー３００と、コア部２００とレバー３００の水平部３１０との間に介在されており、上端がコア部２００に支持され、下端が水平部３１０に支持された弾性手段４００と、を含んでなることを特徴とする。
【０００８】
ケース１００およびレバー３００は、射出により一体のプラスチック材質で形成されることができる。
ケース１００の内側と外側を貫通するように底壁１０１および側壁１０２に形成された開口１２１にレバー３００が配置されることがよい。
開口１２１を成す周面に、レバー３００に近接するようにレバー３００に向かって突起１２２が突出形成されることが好ましい。
【０００９】
レバー３００の水平部３１０の上面がケース１００の底壁１０１の上面よりも上側に位置するように形成されており、弾性手段４００の下端が水平部３１０に支持され、水平方向に弾性手段４００の下端両側は、底壁１０１の上側から離隔して配置されることができる。
ケース１００の内周面の一定領域には半径方向内側にコアフック部１４０が突出形成されており、コア部２００がケース１００の内部に挿入された状態で、コアフック部１４０にコア部２００が係止されて上側に抜けないように形成されることがよい。
コアフック部１４０に対応する位置のコア部２００の外周面には、コア部２００の上端から、下端から離隔された高さまで、高さ方向に沿ってフック移動溝２１０が凹んで形成されており、コアフック部１４０がフック移動溝２１０に挿入されることが好ましい。
【００１０】
また、ケース１００には、コアフック部１４０が形成された円周方向両端に、高さ方向に切欠されたスリット１４１が形成されることができる。
また、コア部２００には、スリット１４１が形成された位置に対応する位置のコア部２００の上面から上側に複数の遮断壁２２０が延びて形成されることができる。
また、コア部２００の外周面の一定領域には、半径方向外側にストッパ２３０が突出形成されており、コア部２００がケース１００の内部に挿入された状態で、ケース１００の側壁１０２を貫通するように形成された開口の上端にストッパ２３０が係止されて上側に抜けないように形成されることができる。
【００１１】
ケース１００には、外周面の上端から半径方向外側に第１係止部１３０が突出形成されており、第１係止部１３０から下側に離隔した位置に、ケース１００の外周面から半径方向外側に第２係止部１５０が突出形成されることができる。
ケース１００には、上端から高さ方向上側に延びて形成された延長部１６０の上端から半径方向外側に係止突起１６１が突出形成されることがよい。
【００１２】
リング部５１０の下側に複数の延長部５２０が円周方向に互いに離隔して延びて形成され、複数の延長部５２０の下端から半径方向外側に結合突起５２１が突出形成されており、リング部５１０の上側に複数の延長部５３０が円周方向に互いに離隔して延びて形成され、複数の延長部５３０の上端から半径方向外側に係止突起５３１が突出形成されている固定部材５００をさらに含んでなり、ケース１００には結合溝１７０が形成されていて、固定部材５００の係止突起５３１がケース１００の結合溝１７０に挿入されて結合されることが好ましい。
また、ケース１００には、底壁１０１または側壁１０２から内側にリミッタ１８０が突出形成され、コア部２００が下方へ移動し得る範囲が制限されることができる。
【００１３】
そして、本発明の斜板式圧縮機は、冷媒が流入される吸入流路１１１０が形成された後方ハウジング１１００と、後方ハウジング１１００の吸入流路上に挿入されて設けられた吸入脈動低減装置１０００と、を含んでなることを特徴とする。
後方ハウジング１１００の吸入流路１１１０には内側に係止突部１１２０が突出形成されており、ケース１００には、外周面の上端から半径方向外側に第１係止部１３０が突出形成されるとともに、第１係止部１３０から下側に離隔した位置に、ケース１００の外周面から半径方向外側に第２係止部１５０が突出形成されていて、後方ハウジング１１００の係止突部１１２０が、ケース１００の第１係止部１３０と第２係止部１５０との間に係止されて挟持されることが好ましい。
【００１４】
後方ハウジング１１００の吸入流路１１１０には係止溝１１３０が凹んで形成されており、ケース１００には、上端から高さ方向上側に延びて形成された延長部１６０の上端から半径方向外側に係止突起１６１が突出形成されていて、後方ハウジング１１００の係止溝１１３０にケース１００の係止突起１６１が挿入されて結合されることができる。
後方ハウジング１１００の吸入流路１１１０には係止溝１１３０が凹んで形成されており、吸入脈動低減装置１０００は、リング部５１０の下側に複数の延長部５２０が円周方向に互いに離隔して延びて形成され、複数の延長部５２０の下端から半径方向外側に結合突起５２１が突出形成されるとともに、リング部５１０の上側に複数の延長部５３０が円周方向に互いに離隔して延びて形成され、複数の延長部５３０の上端から半径方向外側に係止突起５３１が突出形成された固定部材５００をさらに含んでなり、ケース１００には結合溝１７０が形成されていて、固定部材５００の結合突起５２１がケース１００の結合溝１７０に挿入されて結合され、後方ハウジング１１００の係止溝１１３０にケース１００の係止突起５３１が挿入されて結合されることが好ましい。
【発明の効果】
【００１５】
本発明の吸入脈動低減装置およびそれを含む斜板式圧縮機は、冷媒の吸入量が少なくなる際に吸入脈動を低減させることができ、振動および騒音の発生を防止することができる利点がある。
また、吸入脈動低減装置の弾性手段を除いた全ての構成をプラスチックで製造し、特に、金属で製造していた既存の吸入口をプラスチックで代替して、ケースと一体型で製造するため、製造コストが安価である利点がある。
【図面の簡単な説明】
【００１６】
【図１】従来の可変容量型斜板式圧縮機の吸入脈動低減装置を示した断面図である。
【図２】本発明の第１実施形態による吸入脈動低減装置を示した分解斜視図である。
【図３】本発明の第１実施形態による吸入脈動低減装置を示した組立斜視図である。
【図４】本発明の第１実施形態による吸入脈動低減装置を示した組立斜視図である。
【図５】本発明の第１実施形態による吸入脈動低減装置を示した断面図である。
【図６】本発明の第１実施形態による吸入脈動低減装置を示した断面図である。
【図７】本発明の第１実施形態による吸入脈動低減装置が設けられた斜板式圧縮機の後方ハウジングの一部を示した断面図である。
【図８】本発明の第２実施形態による吸入脈動低減装置を示した組立斜視図である。
【図９】本発明の第２実施形態による吸入脈動低減装置のケースとレバーを示した上側平面図である。
【図１０】本発明の第３実施形態による吸入脈動低減装置を示した組立斜視図である。
【図１１】本発明の第３実施形態による吸入脈動低減装置のコア部を示した斜視図である。
【図１２】本発明の第４実施形態による吸入脈動低減装置を示した組立斜視図である。
【図１３】本発明の第４実施形態による吸入脈動低減装置のコア部を示した斜視図である。
【図１４】本発明の第４実施形態による吸入脈動低減装置を示した断面図である。
【図１５】本発明の第５実施形態による吸入脈動低減装置を示した組立斜視図である。
【図１６】本発明の第５実施形態による吸入脈動低減装置を示した断面図である。
【図１７】本発明の第５実施形態による吸入脈動低減装置を示した分解斜視図である。
【図１８】本発明の第５実施形態による吸入脈動低減装置が斜板式圧縮機の後方ハウジングに設けられて固定された状態を示した断面図である。
【図１９】本発明による斜板式圧縮機の後方ハウジングの他の実施形態を示した概略図である。
【発明を実施するための形態】
【００１７】
以下、上記のような構成を有する本発明の吸入脈動低減装置およびそれを含む斜板式圧縮機を添付図面を基にして詳細に説明する。
先ず、斜板式圧縮機の構造について簡略に説明する。斜板式圧縮機は、大きく分けるとハウジング、回転軸、斜板、および複数のピストンを含んでなる。
ハウジングは、斜板式圧縮機の外部本体を成す部分であって、その内部に、回転軸、斜板、および複数のピストンを収容するシリンダ室が形成されており、ハウジングのうち後方ハウジング１１００には、ピストンの吸入行程時にシリンダ室に冷媒を供給する吸入流路１１１０が形成され、圧縮行程時にシリンダ室内の冷媒が排出される吐出流路が形成されている。
【００１８】
回転軸は、外部駆動源の回転駆動力を圧縮機の内部に伝達する手段であり、斜板は、回転軸の回転駆動力をピストンの往復直線運動に転換する手段であって、回転軸上に傾斜した状態で装着され、回転軸とともに回転する。
複数のピストンは、斜板によってシリンダ室の内部で往復運動しながら冷媒を圧縮する手段であって、吸入流路１１１０を介してシリンダ室内に吸入した冷媒を、吐出流路を介して外部の冷媒ラインに吐出させる。
【００１９】
特に、可変容量型斜板式圧縮機は斜板の傾斜角度が可変するように設けられ、回転軸に対する斜板の傾斜が９０度である際に、ピストンの往復運動がなくなるため、回転軸が空回りすることになる。逆に、斜板が回転軸に対して９０度ではない特定角度で傾斜するように傾くと、ピストンがシリンダ室内で往復運動しながら冷媒を吸入して圧縮してから吐出することになる。
この際、吸入流路１１１０の先端には、外部から冷媒が流入される吸入ポートが形成されており、吸入流路１１１０上に本発明の吸入脈動低減装置１０００が装着されて、吸入圧力に応じてコア部２００が移動しながら吸入脈動が低減されることができる。
【００２０】
［実施形態１および実施形態２］
図２から図６は、本発明の第１実施形態による吸入脈動低減装置を示した分解斜視図、組立斜視図、および断面図であり、図７は、本発明の第１実施形態による吸入脈動低減装置が設けられた斜板式圧縮機の後方ハウジングの一部を示した断面図である。また、図８および図９は、本発明の第２実施形態による吸入脈動低減装置を示した組立斜視図およびケースとレバーを示した上側平面図である。
【００２１】
図示したとおり、本発明の吸入脈動低減装置１０００は、高さ方向に上側面が開放された吸入口１１０が形成されており、側壁１０２の一定領域が中空となって形成された吐出口１２０が形成されたケース１００と、ケース１００の内部において吸入口１１０と吐出口１２０との間に備えられて高さ方向に移動自在に形成され、ケース１００の底面から離隔して配置されたコア部２００と、ケース１００の底壁１０１の付近に配置された水平部３１０の一端からケース１００の側壁１０２に沿って上側に垂直部３２０が延びて形成され、垂直部３２０の上側がコア部２００の外周面に近接して配置されており、水平部３１０と垂直部３２０とが接する部分が、ケース１００に水平方向軸を中心に回転自在に結合されたレバー３００と、コア部２００とレバー３００の水平部３１０との間に介在されており、上端がコア部２００に支持され、下端が水平部３１０に支持された弾性手段４００と、を含んでなる。
【００２２】
先ず、本発明の吸入脈動低減装置１０００は、大きく、ケース１００、コア部２００、レバー３００、および弾性手段４００を含んでなる。
ケース１００は略円筒状に形成されており、円筒状の一端が開放され、他端の一部が閉塞されている形態からなる。すなわち、円筒状に側壁１０２が形成され、高さ方向の下側である側壁１０２の下端が底壁１０１により閉塞されている凹状の容器の形態からなる。そして、ケース１００は、開放された上端が吸入口１１０となり、側壁１０２の一定領域が、外周面と内周面を貫通するように中空となって形成された吐出口１２０となるように形成される。すなわち、側壁１０２の一部が開口されている部分が吐出口１２０となる。この際、側壁１０２の円周方向に沿って離隔して複数の吐出口１２０が形成される。
【００２３】
コア部２００は、吸入口１１０から流入される冷媒の吸入圧力に応じてケース１００の内部で高さ方向に移動することで、吐出口１２０の開閉面積を調節する。すなわち、コア部２００は、ケース１００の内部を通過する冷媒の流動を断続する手段であって、ケース１００の吸入口１１０を介して流入される冷媒の圧力に応じてコア部２００が高さ方向に移動することになるが、コア部２００の高さによって、吸入口１１０を介して流入された冷媒がケース１００の内部を通過して吐出口１２０に排出され得る流動断面積である吐出口１２０の開放程度が調節される。そして、コア部２００はケース１００の内部で高さ方向に沿って移動できるように、ケース１００の内部形状に対応する円筒状または円柱状に形成される。一例として図示したとおり、コア部２００は、下面から上側に凹状に形成された容器の形態からなる。
【００２４】
ここで、コア部２００は、ケース１００の内部に備えられて高さ方向に沿ってスムーズに上下移動できるように、コア部２００の外径がケース１００の側壁１０２の内径より僅かに小さく形成される。そして、コア部２００は、吸入口１１０と吐出口１２０との間に配置され、且つケース１００の底壁１０１から上側に離隔した位置に配置される。
【００２５】
レバー３００は、一例として図示したとおり「Ｌ」字状に形成され、高さ方向に垂直な水平方向に形成された水平部３１０と、水平部３１０の一端から高さ方向上側に延びて形成された垂直部３２０と、で構成される。そして、水平部３１０はケース１００の底壁１０１の付近に配置され、コア部２００の下側に水平部３１０が離隔して配置され、垂直部３２０は側壁１０２の付近に配置され、垂直部３２０の上側がコア部２００の外周面に近接して配置される。また、レバー３００は、水平部３１０と垂直部３２０とが接して連結された部分である「Ｌ」字状の角部分の一部がケース１００に結合され、且つケース１００が固定された状態でレバー３００が水平方向軸Ｃを中心に回転自在に形成される（図９参照）。この際、図示したとおり、レバー３００の水平部３１０と垂直部３２０とが接して連結された部分である角部分において、水平部３１０の下側が底壁１０１の一部の局所部分に結合された形態で結合部３１２が形成され、結合部３１２の部分が折れたり曲げられて形成され、レバー３００が結合部３１２を基準として回転されることができる。また、結合部３１２が形成された部分においてレバー３００を支持している部分は、底壁１０１の上下面を貫通するように形成された開口１２１に高さ方向に立てられている平板部分の両端が開口１２１の端部に結合されている形態である。その他にも、結合部３１２は、レバー３００が水平方向軸Ｃを中心に回転できる様々な形態で形成されることができる。
【００２６】
弾性手段４００は一例としてコイルばねである。弾性手段４００は、コア部２００とレバー３００の水平部３１０との間に介在されており、上端はコア部２００に支持され、下端は水平部３１０の上面に支持される。この際、弾性手段４００の上部は、コア部２００の空いている内部に挿入されて結合され、弾性手段４００の下部は、レバー３００の水平部３１０の上面から上側に突出形成された嵌合部３１１の外側に嵌合されて結合される。また、弾性手段４００の下部は、レバー３００の嵌合部３１１と同一円周線上に形成されたケース１００の嵌合部１９０に嵌合されて結合されることができる。
【００２７】
その結果、ケース１００の吸入口１１０側であるコア部２００の上部側から、冷媒の圧力によって弾性手段４００の弾性よりも大きい力がコア部２００に作用すると、コア部２００が下方へ移動しながら弾性手段４００の力によってレバー３００の水平部３１０が下方へ押されることとなる。これにより、レバー３００が水平方向軸Ｃを中心に僅かに回転され、回転されるレバー３００の垂直部３２０の上部がコア部２００を一側に押すこととなり、コア部２００がケース１００の側壁１０２の内周面の一側に密着された状態に維持される。この際、コア部２００は、側壁１０２の内周面に密着された状態で冷媒の圧力に応じて高さ方向に上下移動するため、ケース１００の吸入口１１０の方から吐出口１２０の方への冷媒の流動があっても、コア部２００の水平方向への振れがなく、コア部２００が側壁１０２にぶつかる時に発生する振動および騒音が防止されることができる。また、弾性手段４００が圧縮された状態では、常にレバー３００の垂直部３２０の上部がコア部２００を側壁１０２の内周面の一側に密着させるように作動されるため、コア部２００が移動し始めると同時に、コア部２００の振れが防止される。
【００２８】
ケース１００およびレバー３００は、射出により一体のプラスチック材質で形成されることができる。
すなわち、プラスチック材質を用いた射出成形により、ケース１００とレバー３００を一体に形成することができ、これにより、ケース１００とレバー３００が結合された部分である結合部３１２の構成を簡単にすることができる。これにより、製造が容易となるとともに、製造コストが低減することができる。この際、プラスチック材質の中でも、割れにくく、曲げ荷重が繰り返されても疲労破断が発生しない材質を用いてケース１００とレバー３００を一体に射出して製造すると、レバー３００が繰り返し回転されても結合部３１２の破損を防止することができる。または、ケース１００およびレバー３００がそれぞれ別のもので形成され、組み立てにより結合されてもよい。
【００２９】
ケース１００の内側と外側を貫通するように底壁１０１および側壁１０２に形成された開口１２１にレバー３００が配置されることができる。
すなわち、図示したとおり、レバー３００は、ケース１００の底壁１０１の上下面を貫通するように形成された開口１２１、および側壁１０２の内周面と外周面を貫通するように形成された開口１２１に配置されることができる。この際、開口１２１の周面から離隔するようにレバー３００が配置されることがよく、これにより、レバー３００が開口１２１の大部分を閉塞している形態で形成される。
【００３０】
開口１２１を成す周面に、レバー３００に近接するようにレバー３００に向かって突起１２２が突出形成されることができる。
すなわち、レバー３００に向かってレバー３００に近接する位置に、開口１２１を有する周面の一部領域に突起１２２が突出形成されることで、レバー３００の水平方向軸Ｃを中心とした回転以外の他の動きを低減することができる。
【００３１】
一方、レバー３００の水平部３１０の上面は、ケース１００の底壁１０１の上面よりも上側に位置して形成されており、弾性手段４００の下端が水平部３１０に支持され、水平方向に弾性手段４００の下端両側は、底壁１０１の上側から離隔して配置される。
すなわち、レバー３００の水平部３１０の上面がケース１００の底壁１０１の上面より高い位置に形成されることで、弾性手段４００の下端がレバー３００の水平部３１０のみに支持されることができ、レバー３００の水平部３１０は、弾性手段４００の下端の、水平部３１０における軸Ｃの水平方向両側部分が空中に浮かんでいるように形成され、弾性手段４００の下端両側は、底壁１０１から上側に離隔した位置に位置する。これにより、コア部２００が下方に移動すると、弾性手段４００が水平部３１０を下方へ押してレバー３００が回転しながら弾性手段４００もともに下方に移動し、弾性手段４００の下端が底壁１０１に支持されると、レバー３００がそれ以上回転されなくなり、これにより、レバー３００の垂直部３２０の上側がコア部２００を特定の力以上で押さないようにする。これにより、コア部２００が側壁１０２の内周面に密着され、且つ適当な力で密着された状態を維持することができるため、コア部２００が冷媒の圧力に応じてケース１００の内部でスムーズに上下移動することができる。
【００３２】
また、ケース１００の内周面の一定領域には、半径方向内側にコアフック部１４０が突出形成されており、コア部２００がケース１００の内部に挿入された状態で、コアフック部１４０にコア部２００が係止されて上側に抜けないように形成される。
すなわち、コア部２００は、冷媒の吸入圧力による力が弾性手段４００の弾性力よりも小さい場合に、吸入口１１０を介して上側に離脱し得るため、弾性手段４００の弾性力と反対方向にコア部２００を支持する手段が必要である。そのため、ケース１００の内周面の一定領域に半径方向内側に突出したコアフック部１４０が形成され、コアフック部１４０にコア部２００が係止されて上側に抜けないように形成される。
【００３３】
また、コアフック部１４０に対応する位置のコア部２００の外周面には、コア部２００の上端から、下端から上側に離隔した高さまで、高さ方向に沿ってフック移動溝２１０が凹んで形成され、コアフック部１４０がフック移動溝２１０に挿入される。
すなわち、コア部２００には、外周面から半径方向内側にフック移動溝２１０が凹んで形成される。フック移動溝２１０は、コア部２００の上面から下方へ形成されるが、この際、コア部２００の下面から上側に離隔した高さまで形成される。コアフック部１４０がフック移動溝２１０に挿入された状態でコア部２００が高さ方向に移動することができ、フック移動溝２１０の高さ方向の下端がコアフック部１４０に係止される。これにより、コア部２００が高さ方向の中心軸を基準に回転されず、コア部２００がケース１００の外部に離脱することを防止する。そして、コア部２００には、上面から下面まで、ガイド溝２４０が外周面に凹んで形成されており、ガイド溝２４０にレバー３００の垂直部３２０の一部が挿入されている。これにより、コア部２００の回転を防止することができ、レバー３００の垂直部３２０がコア部２００を正確に押すようにする。
【００３４】
また、ケース１００には、コアフック部１４０が形成された円周方向両端に、高さ方向に切欠されたスリット１４１が形成される。
すなわち、コアフック部１４０の両側に、高さ方向に沿って上側または下側にスリット１４１が形成されており、コア部２００をケース１００の内部に挿入して組み立てる時に、コアフック部１４０が形成された部分がコア部２００によって半径方向外側に押されながら、コア部２００がケース１００の内部に容易に挿入されることができ、挿入された後には弾性によって元の形態に回復されてコアフック部１４０にコア部２００が係止され、挿入された反対方向に離脱しないようにすることができる。この際、図２〜図６に示したとおり、ケース１００には、側壁の上端部分から下側に延びて形成された部分の下端に、半径方向内側にコアフック部１４０が形成されてもよく、本発明の吸入脈動低減装置１０００の第２実施形態である図８および図９に示したとおり、ケース１００には、側壁の上端部分から上側に延びて形成された部分に、半径方向内側にコアフック部１４０が形成されてもよい。
【００３５】
［実施形態３］
図１０および図１１は、本発明の第３実施形態による吸入脈動低減装置を示した組立斜視図およびコア部を示した斜視図である。
図示したとおり、コア部２００には、スリット１４１が形成された位置に対応する位置のコア部２００の上面から上側に複数の遮断壁２２０が延びて形成される。
すなわち、上記のように、側壁１０２にスリット１４１が高さ方向に形成されている場合に、コア部２００が下方へ移動すると、吐出口１２０だけでなくスリット１４１を介しても冷媒が流動するため、スリット１４１を閉塞するように、コア部２００の上面から上側に複数の遮断壁２２０が形成される。この際、上側からみたときに、遮断壁２２０はスリット１４１の位置に対応する位置に形成されることができ、スリット１４１が形成された円周方向への領域よりも広い領域に遮断壁２２０が形成されることで、冷媒がスリット１４１を通過しないようにすることができる。そして、高さ方向にスリット１４１が形成された長さと、高さ方向に遮断壁２２０が形成された長さを調節することで、スリット１４１を介して冷媒が流動しないようにしたり、一部の冷媒がスリット１４１を通過するようにすることができる。
【００３６】
［実施形態４］
図１２〜図１４は、本発明の第４実施形態による吸入脈動低減装置を示した組立斜視図、コア部を示した斜視図、および吸入脈動低減装置を示した断面図である。
図示したとおり、コア部２００の外周面の一定領域には、半径方向外側にストッパ２３０が突出形成されており、コア部２００がケース１００の内部に挿入された状態で、ケース１００の側壁１０２を貫通するように形成された開口の上端にストッパ２３０が係止されて上側に抜けないように形成される。
【００３７】
すなわち、ケース１００の内部にコア部２００が挿入された状態で、コア部２００がケース１００の外部に離脱しないように、コア部２００がケース１００に係止され、上側に移動できる限界が決定される。この際、コア部２００の外周面から半径方向外側にストッパ２３０が突出形成され、ストッパ２３０は様々な形態で形成されることができるが、図示したとおり、コア部２００の下側から上側に延びた形態の延長部の上端から半径方向外側に突出し、且つ突出した部分の下面は外側の上方に傾斜して形成され、上端面は平らに形成されることができる。これにより、コア部２００をケース１００の内部に容易に挿入することができ、挿入された反対方向である上側に離脱しないようにすることができる。また、ケース１００には、ストッパ２３０が係止可能な部分が形成されるが、図示したとおり、ケース１００の側壁１０２に形成された開口１２１または吐出口１２０の上端にストッパ２３０が係止されるように形成することで、側壁１０２にストッパ２３０が係止される別の固定溝などを形成しなくてもよいという利点がある。
【００３８】
また、ケース１００には、外周面の上端から半径方向外側に第１係止部１３０が突出形成され、第１係止部１３０から下側に離隔した位置に、ケース１００の外周面から半径方向外側に第２係止部１５０が突出形成される。
すなわち、ケース１００は、斜板式圧縮機の後方ハウジング１１００に結合されて離脱しないように強固に固定されなければならないため、図３および図７を基にすると、ケース１００に形成された第１係止部１３０、およびそれから離隔して形成された第２係止部１５０を用いて、それらの間に後方ハウジング１１００の一部分が挟持される構造を成すようにすることができる。この際、第１係止部１３０は、ケース１００の外周面の上端から半径方向外側に突出した段部の形態で形成される。第１係止部１３０は、円周方向の全体にわたって形成されたリング状であってもよく、図示したとおり、リング状の一部に上下方向に溝が凹設された形態であってもよい。第２係止部１５０は、第１係止部１３０から下方へ離隔した位置から半径方向外側に突出して形成される。また、第２係止部１５０は、側壁１０２に形成された開口１２１または吐出口１２０の上端から下方へ延びた形態で形成され、延長部の下端部から半径方向外側に突出形成される。
【００３９】
また、ケース１００には、上端から高さ方向上側に延びて形成された延長部１６０の上端から半径方向外側に係止突起１６１が突出形成される。
すなわち、ケース１００は、圧縮機の後方ハウジング１１００に結合されて離脱しないように強固に固定されなければならないため、ケース１００に形成された係止突起１６１を用いて後方ハウジング１１００に固定されるようにする。この際、係止突起１６１は、ケース１００の外周面よりも半径方向外側に突出するように形成されることができ、側壁１０２の上端から上側に延長部１６０が延びて形成され、延長部１６０の上端部から係止突起１６１が突出形成されることができる。
【００４０】
［実施形態５］
図１５〜図１７は、本発明の第５実施形態による吸入脈動低減装置を示した組立斜視図、断面図、および分解斜視図である。
図示したとおり、リング部５１０の下側に、複数の延長部５２０が円周方向に互いに離隔して延びて形成され、複数の延長部５２０の下端から半径方向外側に結合突起５２１が突出形成されており、リング部５１０の上側に、複数の延長部５３０が円周方向に互いに離隔して延びて形成され、複数の延長部５３０の上端から半径方向外側に係止突起５３１が突出形成されている固定部材５００をさらに含んでなる。ケース１００には結合溝１７０が形成されていて、固定部材５００の係止突起５３１がケース１００の結合溝１７０に挿入されて結合される。
【００４１】
これは、ケース１００の内部に挿入されたコア部２００がケース１００の外部に離脱することを防止するとともに、ケース１００を斜板式圧縮機の後方ハウジング１１００に結合して固定するための構成であって、別の固定部材５００をさらに含んでなる。すなわち、固定部材５００は、リング部５１０の下側がケース１００の内部に挿入されて結合および固定され、これにより、コア部２００が固定部材５００の下端に係止されて上側に抜けないことになる。この際、固定部材５００には、リング状に形成されたリング部５１０の下側に複数の延長部５２０が形成されており、延長部５２０の下端部から半径方向外側に形成された結合突起５２１が、ケース１００の側壁１０２に形成された結合溝１７０に挿入されて結合および固定される。また、固定部材５００は、リング部５１０の上側に形成された複数の延長部５３０、および延長部５３０の上端部から半径方向外側に突出形成された係止突起５３１を用いて、斜板式圧縮機の後方ハウジング１１００に固定される。
【００４２】
また、ケース１００には、底壁１０１または側壁１０２から内側にリミッタ１８０が突出形成されており、コア部２００が下方へ移動し得る範囲が制限される。
すなわち、ケース１００の底壁１０１の上面から上側に、または側壁１０２の内側面から半径方向内側にリミッタ１８０が突出形成され、コア部２００が下方へ特定距離だけ移動した時に、リミッタ１８０にコア部２００の下端が支持されることで、コア部２００の移動行程における下限位置が制限される。
【００４３】
そして、本発明の斜板式圧縮機は、冷媒が流入される吸入流路１１１０が形成された後方ハウジング１１００と、後方ハウジング１１００の吸入流路上に挿入されて設けられた吸入脈動低減装置１０００と、を含んでなる。
すなわち、本発明の斜板式圧縮機は、冷媒が流入される吸入流路１１１０上に吸入脈動低減装置１０００が挿入されて設けられる。この際、図示したとおり、斜板式圧縮機の後方ハウジング１１００の吸入流路１１１０内に、吸入脈動低減装置１０００の吸入口１１０を含む一部が位置するように配置され、吸入口１１０が吸入流路１１１０の入口側に向かうように設けられることができ、吸入脈動低減装置１０００の吐出口１２０を含む残りの部分が吸入室１１４０に位置するように配置される。
【００４４】
また、後方ハウジング１１００の吸入流路１１１０には、内側に係止突部１１２０が突出形成されており、ケース１００には、外周面の上端から半径方向外側に第１係止部１３０が突出形成されるとともに、第１係止部１３０から下側に離隔した位置に、ケース１００の外周面から半径方向外側に第２係止部１５０が突出形成されていて、後方ハウジング１１００の係止突起１１２０が、ケース１００の第１係止部１３０と第２係止部１５０との間に係止されて挟持される。
すなわち、図７に示したとおり、ケース１００は、斜板式圧縮機の後方ハウジング１１００に結合されて離脱しないように強固に固定されなければならないため、ケース１００に形成された第１係止部１３０、およびそれから離隔して形成された第２係止部１５０を用いて、それらの間に後方ハウジング１１００の一部分である係止突起１１２０が挟持されるようにする。
【００４５】
また、後方ハウジング１１００の吸入流路１１１０には係止溝１１３０が凹んで形成されており、ケース１００には、上端から高さ方向上側に延びて形成された延長部１６０の上端から半径方向外側に係止突起１６１が突出形成されていて、後方ハウジング１１００の係止溝１１３０にケース１００の係止突起１６１が挿入されて結合される。
すなわち、ケース１００は、圧縮機の後方ハウジング１１００に結合されて離脱しないように強固に固定されなければならないため、ケース１００に形成された係止突起１６１を用いて後方ハウジング１１００の係止溝１１３０に固定されるようにする。この際、係止溝１１３０は、後方ハウジング１１００の吸入流路１１１０の内周面に凹んで形成され、且つ円周方向に沿って一部領域のみに形成されることで、係止溝１１３０にケース１００の係止突起１６１が挿入されて結合された状態で、ケース１００が円周方向に回転しないように固定される。
【００４６】
また、後方ハウジング１１００の吸入流路１１１０には係止溝１１３０が凹んで形成されており、吸入脈動低減装置１０００は、リング部５１０の下側に複数の延長部５２０が円周方向に互いに離隔して延びて形成され、複数の延長部５２０の下端から半径方向外側に結合突起５２１が突出形成されるとともに、リング部５１０の上側に複数の延長部５３０が円周方向に互いに離隔して延びて形成され、複数の延長部５３０の上端から半径方向外側に係止突起５３１が突出形成された固定部材５００をさらに含んでなり、ケース１００には結合溝１７０が形成されていて、固定部材５００の結合突起５２１がケース１００の結合溝１７０に挿入されて結合され、後方ハウジング１１００の係止溝１１３０にケース１００の係止突起５３１が挿入されて結合される。
【００４７】
すなわち、上記のとおり吸入脈動低減装置１０００が固定部材５００をさらに含んでなる場合、図１８のように、固定部材５００の係止突起５３１が後方ハウジング１１００に形成された係止溝１１３０に挿入されて結合および固定される。
また、図１９のとおり、後方ハウジング１１００の係止突起１１２０には、一部領域が凹んでフック結合溝１１５０が形成され、ケース１００の第２係止部１５０がフック結合溝１１５０内に載置された状態で係止突起１１２０に係止されて結合されることで、吸入脈動低減装置１０００のケース１００が回転しないようにする。
【００４８】
本発明は上記の実施形態に限定されず、適用範囲が多様であることはいうまでもなく、本発明が属する分野において通常の知識を有する者であれば、誰でも特許請求の範囲で請求している本発明の趣旨を逸脱することなく多様な変形実施が可能である。
【符号の説明】
【００４９】
１０  吸入逆止弁
２０  ケース
２１  吸入口
２２  吐出口
３０  開閉コア
３１  軸方向溝
４０  弾性ばね
１００  ケース
１０１  底壁
１０２  側壁
１１０  吸入口
１２０  吐出口
１２１  開口
１２２  突起
１３０  第１係止部
１４０  コアフック部
１４１  スリット
１５０  第２係止部
１６０、５２０、５３０  延長部
１６１、５３１、１１２０  係止突起
１７０  結合溝
１８０  リミッタ
１９０、３１１  嵌合部
２００  コア部
２１０  フック移動溝
２２０  遮断壁
２３０  ストッパ
２４０  ガイド溝
３００  レバー
３１０  水平部
３１２  結合部
３２０  垂直部
４００  弾性手段
５００  固定部材
５１０  リング部
５２１  結合突起
１０００  吸入脈動低減装置
１１００  後方ハウジング
１１１０  吸入流路
１１３０  係止溝
１１４０  吸入室
１１５０  フック結合溝
Ｃ  水平方向軸
【図１】
2019526749.tif 000003
【図２】
2019526749.tif 000004
【図３】
2019526749.tif 000005
【図４】
2019526749.tif 000006
【図５】
2019526749.tif 000007
【図６】
2019526749.tif 000008
【図７】
2019526749.tif 000009
【図８】
2019526749.tif 000010
【図９】
2019526749.tif 000011
【図１０】
2019526749.tif 000012
【図１１】
2019526749.tif 000013
【図１２】
2019526749.tif 000014
【図１３】
2019526749.tif 000015
【図１４】
2019526749.tif 000016
【図１５】
2019526749.tif 000017
【図１６】
2019526749.tif 000018
【図１７】
2019526749.tif 000019
【図１８】
2019526749.tif 000020
【図１９】
2019526749.tif 000021
【国際調査報告】
2019526749.tif 000022
2019526749.tif 000023
2019526749.tif 000024
2019526749.tif 000025